(57)【特許請求の範囲】
【請求項１】
通信相手を選択できない通信衛星による大容量通信手段を用いて、ホスト装置から受信側端末装置に向かって大容量の曲データを配信する通信カラオケシステムにおいて、
前記ホスト装置は、１つの曲番号データを含む前記曲データの配信前に、ホスト装置と前記受信側端末装置との間で接続された双方向通信手段を用いて、受信側端末装置が曲データの受信を可能にする複数の曲番号データからなる鍵データを、受信側端末装置に送信するとともに、受信側端末装置は、ホスト装置から送信された鍵データを記憶手段に格納し、
前記ホスト装置は、前記大容量通信手段を介して前記曲データを前記受信側端末装置に送信する際に、先ず前記曲データ中に含まれる前記曲番号データのみを受信側端末装置に送信するとともに、曲番号データを送信した後一定時間データ送信を待ち、
受信側端末装置は、前記ホスト装置から送信された曲番号データと前記記憶手段に格納された鍵データにおける複数の曲番号データの内の１つの曲番号データとが一致すると判断された場合、ホスト装置から大容量通信手段を介して受信側端末装置に送信されて曲番号データに対応する曲データを有効化することを特徴とする通信カラオケシステム。
【発明の詳細な説明】
【０００１】
【発明の属する技術分野】
本発明は、通信相手を選択できない大容量通信手段を用いて、ホスト装置から受信側端末装置に向かって大容量の情報を配信する配信システムに関し、特に、例えば、人工衛星等の、大容量でかつ対象を送信側で選択できない大容量通信手段を使用した場合であっても、特定の受信側端末装置にだけ大容量の情報を送信できる配信システムに関する。
【０００２】
【従来の技術】
従来より、ホスト装置に保存記憶される情報を、そのホスト装置から回線網の受信側端末装置に伝送し、受信側端末装置において、利用者がその情報を利用できる情報提供用の配信システムが種々提案されている。
その配信システムでは、通信媒体として、一般の公衆回線、或いはＩＳＤＮ回線（Integrated Services Digital Network ：統合サービス・ディジタル網）等が使用されている。これら通信媒体は、通信を行う際の相手を選択可能であるが、単位時間当たりに送信できる情報量はそれ程多くはない。
一方で、配信システムの一例として、通信カラオケシステムがあるが、近年、通信カラオケシステムにおいて通信される演奏情報及び画像情報等は、１曲当たり大量となり、一般の公衆回線、或いはＩＳＤＮ回線を使って、多数の曲情報等を一時に通信するのは、困難な状況になりつつある。
【０００３】
【発明が解決しようとする課題】
そのため、衛星通信などの大容量通信媒体を使用することも考えられるが、通信衛星の場合、通信対象としての受信側端末装置を選択できないため、ある特定の受信側端末装置にだけ、その大容量の情報を送信することができなかった。
本発明は、上述した問題点を解決するためになされたものであり、例えば、衛星通信などのような大容量ではあるが、通信対象を選択できない通信媒体を使用した場合であっても、特定の受信側端末装置にだけ大容量の情報を送信できる配信システムを提供することを目的とする。
【０００４】
【課題を解決するための手段及び発明の効果】
この目的を達成するために、請求項１に記載の通信カラオケシステムは、通信相手を選択できない通信衛星による大容量通信手段を用いて、ホスト装置から受信側端末装置に向かって大容量の曲データを配信する通信カラオケシステムにおいて、前記ホスト装置は、１つの曲番号データを含む前記曲データの配信前に、ホスト装置と前記受信側端末装置との間で接続された双方向通信手段を用いて、受信側端末装置が曲データの受信を可能にする複数の曲番号データからなる鍵データを、受信側端末装置に送信するとともに、受信側端末装置は、ホスト装置から送信された鍵データを記憶手段に格納し、前記ホスト装置は、前記大容量通信手段を介して前記曲データを前記受信側端末装置に送信する際に、先ず前記曲データ中に含まれる前記曲番号データのみを受信側端末装置に送信するとともに、曲番号データを送信した後一定時間データ送信を待ち、受信側端末装置は、前記ホスト装置から送信された曲番号データと前記記憶手段に格納された鍵データにおける複数の曲番号データの内の１つの曲番号データとが一致すると判断された場合、ホスト装置から大容量通信手段を介して受信側端末装置に送信されて曲番号データに対応する曲データを有効化することを特徴とする。
前記構成を有する通信カラオケシステムでは、ホスト装置は、大容量の曲データの配信前に、ホスト装置と受信側端末装置との間で接続された双方向通信手段を用いて、受信側端末装置が曲データの受信を可能にする複数の曲番号データからなる鍵データを、受信側端末装置に送信するとともに、受信側端末装置は、ホスト装置から送信された鍵データを記憶手段に格納し、また、ホスト装置は、大容量通信手段を介して曲データを受信側端末装置に送信する際に、先ず曲データ中に含まれる曲番号データのみを受信側端末装置に送信するとともに、曲番号データを送信した後一定時間データ送信を待ち、更に、受信側端末装置は、ホスト装置から送信された曲番号データと記憶手段に格納された鍵データにおける複数の曲番号データの内の１つの曲番号データとが一致すると判断された場合、ホスト装置から大容量通信手段を介して受信側端末装置に送信された曲番号データに対応する曲データを有効化する。
このように、ホスト装置は、大容量通信手段を介して曲データを受信側端末装置に送信する際に、先ず曲データ中に含まれる曲番号データのみを受信側端末装置に送信するとともに、曲番号データを送信した後一定時間データ送信を待つように構成されているので、受信側端末装置において、曲番号データの受信に必要な動作時間を確保することができる。また、受信側端末装置は、双方向通信手段を介してホスト装置から送信されて記憶手段に格納された鍵データにおける複数の曲番号データの内の１つの曲番号データと、曲データの送信前に大容量通信手段を介してホスト装置から送信された曲番号データとが一致すると判断された場合に、ホスト装置から大容量通信手段を介して送信されて曲番号データに対応する曲データを有効化するように構成されているので、通信相手を選択できない通信衛星による大容量通信手段を用いて曲データを配信した場合においても、双方向通信手段により送信される鍵データと大容量通信手段により送信される曲データとが一致する特定の端末側装置に対してのみ曲データを送信することができる。
【０００５】
【０００６】
【０００７】
【０００８】
【発明の実施の形態】
以下、この発明に係る配信システムを、通信カラオケシステムにおいて具体化した実施の形態について図面を参照して説明する。図１は、この実施の形態の通信カラオケシステムの概略的な構成を示すブロック図である。図２は、この実施の形態のカラオケ装置の外観、図３は、この実施の形態のカラオケ装置本体の外観、図４はそのカラオケ装置の電気的構成を示している。また、図５は、この実施の形態のホスト装置の電気的構成を示している。
本実施の形態の通信カラオケシステムＳは、例えば、通信衛星４等の通信相手を選択できない大容量通信手段を用いて、ホスト装置１から受信側端末装置としてのカラオケ装置２（２ａ、２ｂ、２ｃ）に向かって大容量の情報を配信するとともに、ホスト装置１と前記カラオケ装置２（２ａ、２ｂ、２ｃ）との間で接続された双方向通信手段としての公衆回線３を介して、可能化情報としての鍵データ１８ｃを情報通信するものである。ここで、双方向通信手段として公衆回線３を使用する理由は、双方向通信手段を使用すれば、ホスト装置１と前記カラオケ装置２との間で正しく通信が行われた否かを容易に確認することができ、一度目の通信が正常でなければ、正しい通信が行われるまで、繰り返し通信することができるからである。
【０００９】
具体的には、前記ホスト装置１は、図５に示されるように、制御手段としてのＣＰＵ３１と、管理情報入力用のプッシュボタン３２と、演奏データ及び画像データを含む曲データ１８ｂ等を記憶するハードディスク（ＨＤＤ）３３と、このハードディスク（ＨＤＤ）３３から読み出された曲データ等を記憶するメモリ３４と、ＣＲＴ３５用の映像処理回路３６及び映像出力端子３７と、公衆回線３を介した通信を行うためのモデム３８及びモジュラージャック３９と、通信衛星４を介した通信を行うための衛星通信データ発信インターフェース４０及び発信アンテナコネクタ４１とを備えている。
そして、ＣＰＵ３１は、プッシュボタン３２、大容量記憶手段としてのハードディスク（ＨＤＤ）３３、メモリ３４、映像処理回路３６、モデム３８、衛星通信データ発信インターフェース４０とそれぞれ電気的に接続され、更に、映像処理回路３６は映像出力端子３７と、モデム３８はモジュラージャック３９と、衛星通信データ発信インターフェース４０は発信アンテナコネクタ４１と電気的に接続されている。また、外部接続端子としての映像出力端子３７はＣＲＴ３５と電気的に接続され、同様に、モジュラージャック３９は公衆回線３と、発信アンテナコネクタ４１は送信アンテナ５と電気的に接続される。
【００１０】
そして、前記ハードディスク（ＨＤＤ）３３は、演奏データ及び画像データを含む、多数の曲データ１８ｂを記憶する他に、鍵データ１８ｃを記憶し、更にはホスト装置１を制御するためのプログラム１８ａを記憶するので、ＣＰＵ３１はプログラム１８ａに従って動作する他に、鍵データ１８ｃ及び曲データ１８ｂをハードディスク（ＨＤＤ）３３から読み出したり、あるいは、記憶させたりする。また、メモリ３４は、ハードディスク（ＨＤＤ）３３から読み出された曲データ等を記憶する他に、プッシュボタン３２を介して入力された管理情報用データ等を記憶する。
また、前記ＣＲＴ３５は、プッシュボタン３２を介して入力された管理情報用データ及び曲データ等を表示する。そして、ＣＰＵ３１は、モデム３８を制御して、鍵データ１８ｃを含めた所定の情報を、モデム３８、モジュラージャック３９、公衆回線３を介して、カラオケ装置２に送信する。
また、ＣＰＵ３１は、衛星通信データ発信インターフェース４０を制御して、これら衛星通信データ発信インターフェース４０、発信アンテナコネクタ４１、送信アンテナ５を介して、通信衛星４に向かって大容量のデータを発信する。そして、通信衛星４は受け取った大容量のデータを、受信アンテナ６（６ａ、６ｂ、６ｃ）に向かって送信するので、カラオケ装置２（２ａ、２ｂ、２ｃ）は受信アンテナ６（６ａ、６ｂ、６ｃ）を通じて大容量のデータを受信することができる。
【００１１】
次に、図２を参照してこの実施の形態のカラオケ装置を説明する。受信側端末装置としてのカラオケ演奏を行うカラオケ装置２（２ａ、２ｂ、２ｃ）は、それぞれ同じ構成からなっており、カラオケ装置本体２Ｈと、このカラオケ装置本体２Ｈの上方側に載置される音量増幅用アンプ７と、この音量増幅用アンプ７上方側に載置される映像表示用のＣＲＴ８と、楽曲・音声を出力する一対のスピーカ９と、前記アンプ７に接続され利用者が使用するマイク１０とを備えている。
【００１２】
次に、図３を参照してカラオケ装置本体の外観について説明する。図３（ａ）は、カラオケ装置本体２Ｈ筐体の前面パネル側を示しており、図３（ｂ）は、カラオケ装置本体２Ｈ筐体の背面側を示している。
そして、カラオケ装置本体２Ｈ筐体の前面パネルの片側には、図３（ａ）に示されるように、利用者がリクエストする曲を入力するためのプッシュボタン１１が設けられている。このプッシュボタン１１は、「０」〜「９」までの数字ボタン、「Ａ」〜「Ｆ」までのアルファベット入力用ボタン、「曲選択」ボタン、「訂正」ボタンを備えている。前記前面パネルのプッシュボタン１１の反対側（左側）には、プッシュボタン１１を介して入力された内容を表示する表示用７ｓｅｇＬＥＤ１２が設けられている。
それにより、プッシュボタン１１を介して入力された曲番号は、表示用７ｓｅｇＬＥＤ１２に表示されるので、カラオケ利用者が歌いたい歌の曲番号が、表示用７ｓｅｇＬＥＤ１２に表示された状態で、「曲選択」ボタンを押下すれば、その曲番号の情報がカラオケ装置本体２Ｈ内のＣＰＵ１７に入力される。
【００１３】
前記筐体２Ｈの背面側の片側（左側）には、図３（ｂ）に示されるように、音源出力端子１３が設けられており、この音源出力端子１３は、選択された曲をカラオケ装置本体２Ｈが演奏する際に、音量を増幅する音量増幅用アンプ７へ演奏データを電気信号として出力することができる。外部接続端子として、前記筐体２Ｈの背面の反対側（右側）には、映像出力端子１４が設けられ、この映像出力端子１４がＣＲＴ８と接続されることにより、演奏中の曲の歌詞テロップ及び背景画像等の情報がＣＲＴ８に出力される。
また、前記映像出力端子１４の前記音源出力端子１３側には、モジュラージャック１５が設けられており、このモジュラージャック１５と公衆回線３とを接続することにより、ホスト装置１と公衆回線３を介して通信することができる。また、モジュラージャック１５の前記音源出力端子１３側には、受信アンテナ６と接続するための受信アンテナコネクタ１６が設けられている。
【００１４】
次に、図４を参照してカラオケ装置２の電気的な構成について説明する。
カラオケ装置２は、図４に示されるように、制御手段としてのＣＰＵ１７と、前記プッシュボタン１１と、前記表示用７ｓｅｇＬＥＤ１２と、音楽演奏回路２０及び音楽出力端子１３と、演奏曲データ及び画像データを含む曲データ１８ｂ等を記憶するハードディスク（ＨＤＤ）１８と、前記プッシュボタン１１を介して入力されたデータ等を記憶するメモリ１９と、ＣＲＴ８用の映像処理回路２１及び映像出力端子１４と、公衆回線３を介した通信を行うためのモデム２２及びモジュラージャック１５と、通信衛星４を介した受信を行うための通信制御用の衛星通信データ受信インターフェース２３及び受信アンテナコネクタ１６とを備えている。
【００１５】
そして、ＣＰＵ１７は、プッシュボタン１１、表示用７ｓｅｇＬＥＤ１２、大容量記憶手段としてのハードディスク（ＨＤＤ）１８、メモリ１９、映像処理回路２１、モデム２２、衛星通信データ発信インターフェース２３とそれぞれ電気的に接続されている。更に、前記音楽演奏回路２０は音楽出力端子１３と電気的に接続され、同様に、映像処理回路２１は映像出力端子１４と、モデム２２はモジュラージャック１５と、衛星通信データ受信インターフェース２３は受信アンテナコネクタ１６と電気的に接続されている。また、外部接続端子としての音楽出力端子１３は、アンプ７と電気的に接続され、同様に、映像出力端子１４はＣＲＴ８と、モジュラージャック１５は公衆回線３と、受信アンテナコネクタ１６は受信アンテナ６と電気的に接続される。尚、アンプ７はマイク１０とスピーカ９に電気的に並列に接続される。それにより、このカラオケ装置２は、ＣＰＵ１７によって制御される。
【００１６】
そして、メモリ１９は、プッシュボタン１１を介して入力されたデータを記憶する他に、送信された曲データ１８ｂを一時的に記憶することができる。また、前記ハードディスク（ＨＤＤ）１８は、前記曲データ１８ｂを記憶する他に、鍵データ１８ｃを更にはホスト装置１を制御するためのプログラム１８ａを記憶するので、ＣＰＵ１７はプログラム１８ａに従って動作する他に、送信された鍵データ１８ｃ及び曲データ１８ｂ等を、ハードディスク（ＨＤＤ）１８から読み出したりあるいは記憶させたりする。
そして、ＣＰＵ１７は、モデム２２を制御して、鍵データ１８ｃを含めた所定情報を、モデム２２、モジュラージャック１５、公衆回線３を介して、ホスト装置１から確実に受信する。また、ＣＰＵ１７は、衛星通信データ受信インターフェース２３を制御して、衛星通信等４から送信された大容量の曲データ１８ｂを、受信アンテナ６、受信アンテナコネクタ１６、衛星通信データ受信インターフェース２３を介して受信する。
【００１７】
また、ＣＰＵ１７に制御される音楽演奏回路２０は、送信された曲データ中の演奏データを、アンプ７用の演奏データに変換するので、前記音量増幅用アンプ７は、カラオケ装置本体２Ｈから出力された演奏データを電気的に増幅する。そのアンプ７は、マイク１０を介して入力される利用者の歌唱データと適度な割合でミキシングするので、ミキシングされた歌唱データと演奏データは、アンプ７からスピーカ９に出力され、音声及び演奏曲となってスピーカ９から外部へ出力される。
また、映像処理回路２１は、曲データ中の歌詞データ１８ｂー３等（図９参照）を、ＣＲＴ８表示用の歌詞データ等に変換するので、ＣＲＴ８は、プッシュボタン１１を介して入力されたデータ及び歌詞データ等を表示することができる。
【００１８】
次に、図９を用いて、曲データ１８ｂを構成する演奏データの内容、及び、鍵データ１８ｃの内容を説明する。図９（ａ）の演奏データでは、曲番号１８ｂ−１、音楽データ１８ｂ−２、歌詞データ１８ｂ−３、その他１８ｂ−４とが順番に並んで構成されている。演奏データは１曲につき１データになっている。図９（ｂ）の鍵データ１８ｃには、曲番号１８ｃ−１、曲番号１８ｃ−２、曲番号１８ｃ−３・・等が順番に並んで構成されている。
【００１９】
次に、図６のフローチャートを用いて、カラオケ装置２とホスト装置（図６及び図７では、ホスト装置を単にホストと略称する）１との間で、公衆回線３を介して鍵データ１８ｃの送信する手順を説明する。
ホスト装置１は、公衆回線３を介してカラオケ装置２に接続する（Ｓ１）。具体的には、ホスト装置１のＣＰＵ３１がモデム３８を使って、カラオケ装置２のモデム２２との間で通信状態にする。
ホスト装置１とカラオケ装置２との間で接続が完了した場合、ホスト装置１は鍵データ１８ｃをカラオケ装置２へ送信する（Ｓ２）。具体的には、ホスト装置１のＣＰＵ３１が、ハードディスク（ＨＤＤ）３３から鍵データ１８ｃを読み出し、モデム３８、公衆回線３、モデム２２を介して、カラオケ装置２のＣＰＵ１７に送信する。
次に、ホスト装置１とカラオケ装置２との間の接続を切る（Ｓ３）。すなわち、カラオケ装置２のＣＰＵ１７が、鍵データ１８ｃを受信した場合、ホスト装置１のＣＰＵ３１がモデム３８を使って、カラオケ装置２のモデム２２との間で通信状態を終了する。その後、カラオケ装置２のＣＰＵ１７は、受け取った鍵データ１８ｃをハードディスク（ＨＤＤ）１８へ格納する（Ｓ４）。この場合、ホスト装置１は、公衆回線３を介して、例えば、演奏データのうちの曲番号１８ｃ−１のみを最初に送信する。
【００２０】
次に、図７のフローチャートを用いて、カラオケ装置２とホスト装置１との間で、通信衛星４を介して、曲データ１８ｂの送信する手順を説明する。この場合、ホスト装置１は、通信衛星４を介して、例えば、演奏データの曲番号１８ｂ−１のみを最初に送信すると仮定する。
ホスト装置１は、通信衛星４を介して曲番号１８ｂ−１のみを送信する（Ｓ１１）。具体的には、ホスト装置１のＣＰＵ３１が、ハードディスク（ＨＤＤ）３３から曲データ１８ｂの曲番号１８ｂー１を読み出して、衛星通信データ発信インターフェース４０に出力し、送信アンテナ５を介して、通信衛星４に向かって発信する。その後、ホスト装置１は、一定時間データ送信を待つ（Ｓ１２）。これは、受信側端末のカラオケ装置２の受信のための動作時間を確保するためである。
【００２１】
カラオケ装置２は、通信衛星４を介して送信された曲番号１８ｂ−１と、ハードディスク（ＨＤＤ）１８に既に格納されている鍵データ１８ｃ中の曲番号１８ｃ−１とを比較する（Ｓ１３）。具体的には、カラオケ装置２のＣＰＵ１７は、公衆回線３を介して送信された鍵データ１８ｃ中の曲番号１８ｃ−１と、通信衛星４を介して送信された曲番号１８ｂ−１とが完全一致する否かを判断する。
Ｓ１３の比較の結果、鍵データ１８ｃの中に一致する曲番号１８ｃ−１が存在する場合は（Ｓ１３・Ｙｅｓ）、ホスト装置１は、一定時間経過後に曲データ１８ｂを送信する（Ｓ１４）。具体的には、ホスト装置１のＣＰＵ３１は、ハードディスク（ＨＤＤ）３３から曲データ１８ｂを読み出して、衛星通信データ発信インターフェース４０を制御して、これら衛星通信データ発信インターフェース４０、発信アンテナコネクタ４１、送信アンテナ５を介して、通信衛星４に向かってその曲データ１８ｂを発信する。
そして、カラオケ装置２のＣＰＵ１７は、衛星通信データ受信インターフェース２３を制御して、受信アンテナ６、受信アンテナコネクタ１６、衛星通信データ受信インターフェース２３を介して曲データ１８ｂを受信する。カラオケ装置２は、受信した曲データ１８ｂをハードディスク（ＨＤＤ）１８に格納する（Ｓ１５）。その後、カラオケ装置２は、その他の曲番号の受信待ち状態に戻る。
【００２２】
Ｓ１３の比較の結果、送信された曲番号１８ｂ−１と、ＨＤＤ１８に格納されている鍵データ１８ｃ中の曲番号１８ｃ−１とを比較して、鍵データ１８ｃの中に一致する曲番号１８ｃ−１が存在しない場合は（Ｓ１３・Ｎｏ）、カラオケ装置２は、その後に送信される曲データ１８ｂを有効化できずに、曲番号１８ｂ−１の受信待ち状態に戻る。それにより、通信対象を選択できない通信衛星４を使用した場合であっても、特定の受信側端末装置としてのカラオケ装置２にだけ大容量の曲情報１８ｂを送信できる。
【００２３】
このようにカラオケ通信システムＳでは、まず最初に双方向通信手段としての、例えば公衆回線３を用いて、データサイズの小さい、可能化情報となる鍵データ１８ｃを特定のカラオケ装置２に予め配信し、大容量対象無選択通信手段としての、例えば通信衛星４によって、実際の大容量の曲データ１８ｂなどを配信する。そして、カラオケ装置２は、実際の曲データ１８ｂに対応する鍵データ１８ｃが存在する場合に、その曲データ１８ｂを有効にすることができるのに対し、実際の曲データ１８ｂに対応する鍵データ１８ｃが存在しない場合は、曲データ１８ｂを有効にすることができないので、大容量の曲データ１８ｂを特定の受信端末としてのカラオケ装置２に向けて配信することができる。
【００２４】
次に、図８のフローチャートを用いて、カラオケ装置２の演奏時の動作について説明する。まず、利用者はプッシュボタン１１を使って歌いたい歌の番号を入力する（Ｓ２１）。予約番号の入力があると、ＣＰＵ１７は該当する曲データ１８ｂをＨＤＤ１８から読み出し（Ｓ２２）、曲データ１８ｂの内容をメモリ１９に記憶させる（Ｓ２３）。その曲データ１８ｂの読み込みが終了したら、ＣＰＵ１７は、メモリ１９の内容に基づいて通常の演奏を開始し（Ｓ２４）、同時に字幕表示を開始する（Ｓ２５）。ＣＰＵ１７は、曲の演奏が終了したか否かを判断し（Ｓ２６）、曲の演奏が終了するまでＳ４、Ｓ５を継続する（Ｓ２４、Ｓ２５、Ｓ２６）。曲の演奏が終了した場合（Ｓ２６：Ｙｅｓ）、ＣＰＵ１７は曲番号の入力待ちに戻る。
【００２５】
それにより、この実施の形態の配信システムＳは、「楽曲を演奏する演奏手段（音楽演奏回路１３）と、楽曲の歌詞を表示する歌詞表示手段（ＣＲＴ８）と、楽曲の情報を保存する楽曲保存手段（ハードディスク１８）とを有する受信側端末カラオケ装置２と、楽曲の情報を保存する楽曲保存手段（ハードディスク３３）とを有するホスト装置１と、前記カラオケ装置２と前記ホスト装置１の間で通信する、大容量かつ通信相手の選択ができない大容量対象無選択通信手段（通信衛星４）と、前記カラオケ装置２と前記ホスト装置１の間で通信する、小容量かつ通信相手の選択が可能な小容量対象選択可能通信手段（公衆回線３）とを備え、前記小容量対象選択可能通信手段（公衆回線３）を使用して可能化情報（鍵データ１８ｃ）を前記カラオケ装置２に予め配信し、前記カラオケ装置１は可能化情報（鍵データ１８ｃ）を保持する場合のみ前記大容量対象無選択通信手段（通信衛星４）からの情報を有効とする」態様を有している。
【００２６】
以上説明したことから明かなように、通信相手を選択できない通信衛星４（大容量通信手段）を用いて、ホスト装置１からカラオケ装置２（受信側端末装置）に向かって大容量の情報を配信する通信カラオケ装置Ｓ（配信システム）において、前記大容量情報の配信前、前記ホスト装置１と前記カラオケ装置２（受信側端末装置との間で接続された公衆回線３（双方向通信手段）を用いて、前記ホスト装置１は、前記カラオケ装置２（受信側端末装置）が大容量情報の受信を可能にする鍵データ１８ｃ（可能化情報）を、前記カラオケ装置２（受信側端末装置）に通信する。
それにより、ホスト装置１は、前記大容量情報の配信前に、前記カラオケ装置２（受信側端末装置）が大容量情報の受信を可能にする鍵データ１８ｃ（可能化情報）を、公衆回線３（双方向通信手段）を介して前記カラオケ装置２（受信側端末装置）に通信するので、この鍵データ１８ｃ（可能化情報）を受信した前記カラオケ装置２（受信側端末装置）は、大容量の情報を受信することができる。
【００２７】
そして、前記ホスト装置１は、曲情報等を記憶するハードディスク（ＨＤＤ）３３（大容量記憶手段）と、前記衛星通信データ発信インターフェース４０（大容量通信手段用の発信手段）と、前記カラオケ装置２（受信側端末装置）との間で情報通信するためのモデム３８（双方向通信手段）とを備えるのが望ましいが、必ずしもその態様を採用する必要がない。また、カラオケ装置２（受信側端末装置）は、曲情報等を記憶するハードディスク（ＨＤＤ）１８（大容量記憶手段）と、前記衛星通信データ受信インターフェース２３（大容量通信手段用の受信手段）と、前記ホスト装置１との間で情報通信するためのモデム２２（双方向通信手段）を備えるのが望ましいが、必ずしもその態様を採用する必要がない。また、受信側端末は、必ずしもカラオケ装置でなくてもよく、例えば、カラオケ装置に曲データ等を配信するカラオケビデオーサーバーであってもよい。
【００２８】
また、前記大容量通信手段として衛星通信を使用するのが望ましいが、必ずしもその態様を採用する必要がなく、例えば、有線通信であってもよい。また、可能化情報は、曲番号データを含むのが望ましいが、それ以外のデータからなっていてもよいし、大容量情報は曲情報以外の情報であってもよい。また、双方向手段として公衆回線以外の専用線を使用しても構わない。
尚、本発明は前記実施の形態に限定されるものでなく、本発明の要旨を逸脱しない範囲内で種々の改良、変更が可能であることは勿論である。例えば、受信側端末装置は、カラオケ装置１０に限定されるわけではなく、情報を受信できるものであれば、ゲーム装置その他の装置であってもよい。従って、本発明は、一般の通信システムに適用することができる。
【図面の簡単な説明】
【図１】  本発明に係る通信システムを通信カラオケシステムにおいて具体化したブロック図である。
【図２】  本実施の形態の通信カラオケ装置を示す斜視図である。
【図３】  本実施の形態の通信カラオケ装置本体を示す斜視図である。
【図４】  本実施の形態の通信カラオケ装置の電気的な構成を示したブロック図である。
【図５】  本実施の形態のホスト装置の電気的な構成を示したブロック図である。
【図６】  本実施の形態の通信カラオケシステムにおける鍵データ受信時の動作を示すフローチャートである。
【図７】  本実施の形態の通信カラオケシステムにおける演奏データ受信時の動作を示すフローチャートである。
【図８】  本実施の形態の通信カラオケ装置の演奏時の動作を示すフローチャートである。
【図９】  本実施の形態の通信カラオケ装置に使用される演奏データ、鍵データを概略的に示す図である。
【符号の説明】
１  ホスト装置
２  カラオケ装置
３  公衆回線
４  通信衛星
５  送信アンテナ
６  受信アンテナ
８  ＣＲＴ
９  スピーカ
１０  マイク
１５  モジュラージャック
１６  受信アンテナコネクタ
１７  ＣＰＵ
１８  ＨＤＤ
１８ｂ  曲データ
１８ｃ  鍵データ
２２  モデム
３１  ＣＰＵ
３３  ＨＤＤ
３８  モデム
３９  モジュラージャック
４１  発信アンテナコネクタ
【図１】
0003678869.tif 000002
【図２】
0003678869.tif 000003
【図３】
0003678869.tif 000004
【図４】
0003678869.tif 000005
【図５】
0003678869.tif 000006
【図６】
0003678869.tif 000007
【図７】
0003678869.tif 000008
【図８】
0003678869.tif 000009
【図９】
0003678869.tif 000010